(57)【要約】【課題】表示画像の画質低下を抑制しつつデーターを圧縮して伝送することが可能な再生装置の提供を目的とする。【解決手段】取得した複数ビットのデーターをケーブルを通じて複数画素により構成されたディスプレイに送信する送信回路と、前記データーを受信して同ディスプレイに供給する受信回路とを有する表示装置において、送信回路は、連続して配置される複数画素に供給されるデーターの内、１つのデーターを基準データーとし、他のデーターのデーター量を圧縮する圧縮化手段と、基準データーの複数ビットを圧縮された各データーに配分するようビット数を組み替えて、ケーブルに送信させる配列組替手段と、を有し、受信回路は、圧縮された各データーに配分された基準データーの複数ビットを、同基準データーに再配分する第１復元手段と、圧縮された各データーのデーター量を復元する第２復元手段と、を有する。【選択図】図３
2011186173.tif 000002
【特許請求の範囲】
【請求項１】
取得した複数ビットのデーターをケーブルを通じて複数画素により構成されたディスプレイに送信する送信回路と、前記データーを受信して同ディスプレイに供給する受信回路とを有する表示装置において、
前記送信回路は、
連続して配置される複数画素に供給されるデーターの内、１つのデーターを基準データーとし、他のデーターのデーター量を圧縮する圧縮化手段と、
前記基準データーの複数ビットを前記圧縮された各データーに配分するよう各データーのビット数を組み替えて、前記ケーブルに送信させる配列組替手段と、を有し、
前記受信回路は、
圧縮された各データーに配分された前記基準データーの複数ビットを、同基準データーに再配分する第１復元手段と、
圧縮された各データーのデーター量を復元する第２復元手段と、を有することを特徴とする表示装置。
【請求項２】
前記圧縮化手段は、前記他のデーターに対して前記基準データーとの差分値化を行い、
前記差分値化された各データーを非線形圧縮することを特徴とする請求項１に記載の表示装置。
【請求項３】
前記圧縮化手段は、圧縮対象データーにおける変化率が大きい区分ほどエッジを保持するよう非線形圧縮を行い、変化率が小さい区分ほど変換の前後で階調差が小さくなるよう非線形圧縮を行うことを特徴とする請求項２に記載の表示装置。
【請求項４】
前記配列組替手段は、基準データーのビット数と、他のデーターのビット数とが同数となるよう各データーのビット数を配分することを特徴とする請求項１〜請求項３のいずれか一項に記載の表示装置。
【請求項５】
前記ケーブルは、バス幅が３本の配線により構成され、
前記圧縮化手段は、連続して配置される３箇所の画素に供給されるデーターの内、基準データー以外の他の２つのデーターを前記基準データーとの差分を取ることで差分値し、前記差分値化された各データーのＲ，Ｇ，Ｂ各４ビットを非線形圧縮し、
前記配列組替手段は、前記基準データーのＲ，Ｇ，Ｂ各２ビットを前記圧縮後の他のデーターにそれぞれ配分することを特徴とする請求項１に記載の表示装置。
【発明の詳細な説明】
【技術分野】
【０００１】
本発明は、表示装置に関し、特に、取得したデーターのデーター量を圧縮して伝送する表示装置に関する。
【背景技術】
【０００２】
従来、複数の画素により表示画面を構成し、各画素を駆動させることで画像を表示する表示装置が知られている。このような表示装置は、表示画面を備えるディスプレイと、データーを取得し、このデーターを上記ディスプレイが取得可能な形式に変換する処理部とを備えて構成されており、処理部により変換されたデーターは、ケーブルを通じてディスプレイに送信され、画像が表示される（例えば、特許文献１、２参照）。
【０００３】
また、装置本体からディスプレイにデーター量が多いデーターを送信する際、バス幅を多くして対応している。例えば、１クロックで送信するデーター量を多くする場合、ケーブルの配線数を増やすことでバス幅を拡張し、データー量の増加に対応している。
【０００４】
一方で、ケーブルを通じて送信するデーター量を元のデーター量より圧縮して伝送する方法が知られている。例えば、データーの階調表現を擬似的な階調（ディザ）に変換することでデーター量を圧縮し、ケーブルのバス幅を増加することなくデーターを送信する（例えば、特許文献３、４参照。）。
【先行技術文献】
【特許文献】
【０００５】
【特許文献１】特開２００９−２２２９４２号公報
【特許文献２】特開２００３−０３７８４５号公報
【特許文献３】特開２００２−１９６７１６号公報
【特許文献４】特開２００２−２８７７０９号公報
【発明の概要】
【発明が解決しようとする課題】
【０００６】
従来のデーター圧縮による手法は、ディスプレイにデーターを表示する際、表示画像の画質の低下を避けることができなかった。例えば、ディザを用いた圧縮手法においては、元データーの階調数を低下させる変換を行うため表示画像の輪郭等が際立ち、画質の劣化が目立つ場合があった。
【０００７】
本発明は、上記課題にかんがみてなされたもので、表示画像の画質低下を抑制しつつデーターを圧縮して伝送することが可能な再生装置の提供を目的とする。
【課題を解決するための手段】
【０００８】
上記課題を解決するために、本発明では、取得した複数ビットのデーターをケーブルを通じて複数画素により構成されたディスプレイに送信する送信回路と、前記データーを受信して同ディスプレイに供給する受信回路とを有する表示装置において、前記送信回路は、連続して配置される複数画素に供給されるデーターの内、１つのデーターを基準データーとし、他のデーターのデーター量を圧縮する圧縮化手段と、前記基準データーの複数ビットを前記圧縮された各データーに配分するようビット数を組み替えて、前記ケーブルに送信させる配列組替手段と、を有し、前記受信回路は、圧縮された各データーに配分された前記基準データーの複数ビットを、同基準データーに再配分する第１復元手段と、圧縮された各データーのデーター量を復元する第２復元手段と、を有する構成としてある。
【０００９】
上記のように構成された発明では、前記送信回路では、圧縮化手段が、連続して配置される複数画素に供給されるデーターの内、１つのデーターを基準データーとし、他のデーターのデーター量を圧縮し、配列組替手段が、前記基準データーの複数ビットを前記圧縮された各データーに配分し前記ケーブルに送信させる。そして、受信回路では、第１復元手段が、圧縮された各データーに配分された基準データーの複数ビットを同基準データーに再配分し、第２復元手段が、圧縮された各データーのデーター量を復元する。
【００１０】
そのため、受信データーの内、基準データー以外の他のデーターのデーター量を圧縮化することにより、ケーブルを通過するデーター量を削減することが可能となり、ケーブルのバス幅を減らしてケーブルに要するコストを削減することができる。また、１画面を構成する映像データーの内、基準データーに対してはデーター量の削減を行わないため、他のデーターの圧縮による画像の劣化を見え難くすることができ、画質の低減を抑制することができる。
【００１１】
また、圧縮化手段が行う他のデーターの圧縮化の手法は、様々なものが想定される。その一例として、前記圧縮化手段は、前記他のデーターに対して前記基準データーとの差分値化を行い、前記差分値化された各データーを非線形圧縮する構成としてもよい。
上記のように構成された発明では、基準データーとの差分値化を行った後、非線形圧縮を行うため、データー量の圧縮による劣化を低減させることが可能となる。
【００１２】
また、圧縮化手段により行われる非線形圧縮の手法としては、様々なものが想定される。その一例として、前記圧縮化手段は、圧縮対象データーにおける変化率が大きい区分ほどエッジを保持するよう非線形圧縮を行い、変化率が小さい区分ほど変換の前後で階調差が小さくなるよう非線形圧縮を行う構成としてもよい。
通常、表示装置が扱うデーターは、階調差が極端に変化する（いわゆるエッジを伴った）データーであることが多く、中間階調は見た目に影響を与えることは少ない。また、変換後の映像データーにより表現される階調値は元データーの階調差が大きいものほど人の目にはその変化を感じ取り難く、階調差が小さいものほど人の目にはその変化を感じ取りやすい。そのため、変化率（階調差）に応じて非線形圧縮の手法を調整する構成とすれば、解凍後のデーターにおいてその変化を感じにくくすることが可能となる。
【００１３】
そして、配列組替手段がビット数を配分する構成の一例として、前記配列組替手段は、基準データーのビット数と、他のデーターのビット数とが同数となるよう各データーのビット数を配分する構成としてもよい。
上記のように構成された発明では、各データーのビット数が同一になるため、受信回路側の処理を簡易にすることができる。
【００１４】
さらに、本発明の他の局面として、前記ケーブルは、バス幅が３本の配線により構成され、前記圧縮化手段は、連続して配置される３箇所の画素に供給されるデーターの内、基準データー以外の他の２つのデーターを前記基準データーとの差分を取ることで差分値し、前記差分値化された各データーのＲ，Ｇ，Ｂ各４ビットを非線形圧縮し、前記配列組替手段は、前記基準データーのＲ，Ｇ，Ｂ各２ビットを前記圧縮後の他のデーターにそれぞれ配分する構成としてもよい。
【発明の効果】
【００１５】
以上説明したように本発明によれば、基準データー以外の他のデーターを圧縮化することにより、ケーブルを通過するデーター量を削減することが可能となり、ケーブルのバス幅を減らしてケーブルに要するコストを削減することができる。また、１画面を構成する映像データーの内、基準データーに対してはデーター量の削減を行わないため、圧縮後の画像の劣化を見え難くすることができ、画質の低減を抑制することができる。
また請求項２にかかる発明によれば、画質の劣化を抑制することができる。
そして請求項３にかかる発明によれば、解凍後のデーターにおいてその変化を感じにくくすることができる。
さらに請求項４にかかる発明によれば、受信回路側の処理を簡易にすることができる。
【図面の簡単な説明】
【００１６】
【図１】表示装置１００の構成を説明するためのブロック図である。
【図２】送信回路６０により変換される８ビットのデーターを示す図である。
【図３】送信回路６０及び受信回路５０の構成を示すブロック図である。
【図４】入力データー：Ｄｉｎと圧縮後の出力データー：Ｄｏｕｔとの関係を示す図である。
【図５】送信回路６０による処理を説明するためのフローチャートである。
【図６】受信回路５０による処理を説明するためのフローチャートである。
【発明を実施するための形態】
【００１７】
以下、下記の順序に従って本発明の実施形態を説明する。
１．第１の実施形態：
２．第２の実施形態：
３．その他の実施形態：
【００１８】
１．第１の実施形態：
以下、図１を参照して、この発明に係る表示装置を具体化した第１の実施の形態について説明する。図１は、表示装置１００の構成を説明するためのブロック図である。表示装置１００は、画像を表示するディスプレイ８０と、取得したデーターをディスプレイ８０が表示可能な形式に変換するメイン基板９０とを備えて構成されている。また、ディスプレイ８０とメイン基板９０とは、ＬＶＤＳケーブル７０を介して接続され、このＬＶＤＳケーブル７０を通じてメイン基板９０からディスプレイ８０にデーターが送信される。
【００１９】
本実施形態にかかる表示装置１００では、メイン基板９０は取得したデーターを圧縮した後、ＬＶＤＳケーブル７０の伝送可能なデーター形式に変換することで、ＬＶＤＳケーブル７０のバス幅を少なくすることができる。例えば、メイン基板９０が伝送しようとするデーターのビット数がＲ（レッド）Ｇ（グリーン）Ｂ（ブルー）各８ビットである場合、通常は、４本の配線で構成されたＬＶＤＳケーブルを使用するが、本発明では、６ビット用の３本の配線で構成されたＬＶＤＳケーブル７０を用いての８ビットのデーターを送信することが可能となる。
【００２０】
＜メイン基板の構成＞
メイン基板９０は、少なくとも、入力Ｉ／Ｆ９１、信号処理部９２、送信回路６０、を備えて構成されている。入力Ｉ／Ｆ９１を通じて取得した映像データーは、信号処理部９２により所定の信号処理を施された後、送信回路６０に出力される。送信回路６０は、ＬＶＤＳケーブル７０に接続されており、受信した映像データーのデーター量を削減し、ＬＶＤＳケーブル７０を通じてディスプレイ８０に出力する。
【００２１】
入力Ｉ／Ｆ９１は、外部から供給された映像データーをメイン基板９０内部に入力するための回路である。例えば、表示装置１００がテレビジョン受像機としての機能を備える場合は、入力Ｉ／Ｆ９１は、テレビジョン放送を受信するアンテナや、このアンテナが受信したテレビジョン放送から所望のチャンネルに対応したデジタルデーターを抽出するチューナー部により構成される。また、メディアプレーヤー等の外部機器と接続して、映像データーの入力を受け付ける場合、入力Ｉ／Ｆ９１は、メディアプレーヤーと接続する外部端子を備える。
【００２２】
信号処理部９２は、入力Ｉ／Ｆ９１を通じて取得された映像データーに、信号処理を施し、送信回路６０に出力する。信号処理部９２が行う信号処理の一例としては、画像のコントラストを調整する処理や、ホワイトバランスの調整を行う処理である。
【００２３】
送信回路６０は、信号処理部９２が変換した映像データーのデーター量を圧縮し、ＬＶＤＳケーブル７０が送信可能なデーター配置に変換して出力する。また、このとき送信回路６０は、走査方向に連続して配列された画素間でデーターを共有するようデーター配列を並び代える。図２は、送信回路６０により変換される８ビットのデーターを示す図である。以下、便宜上、走査方向に連続して配列される３ピクセル（ｎ，ｎ＋１，ｎ＋２）に供給されるデーターをそれぞれ第１データー、第２データー、第３データーと記載する。送信回路６０は、図２に示すように、走査方向に連続して配置される３つのピクセル（画素）に供給される映像データーの内、ｎ＋１ピクセルとｎ＋２ピクセルに供給されるデーターを圧縮し、ＬＶＤＳケーブル７０のバス幅に適合するよう、各データーの並べ替えを行う。このとき、ｎピクセルに供給されるデーターはデーター量を圧縮しない。
【００２４】
図３は、送信回路６０及び受信回路５０の構成を示すブロック図である。送信回路６０は、少なくとも、データー受信・分離部６１、差分データー生成部６２，６３、非線形圧縮部６４，６５、マッピング部６６、データー送信部６７を備えて構成されている。
【００２５】
データー受信・分離部６１は、信号処理部９２から出力された映像データーを受信し、この映像データーから３ピクセル分のデーターを分離する。通常、映像データーは、走査方向に連続して配置されるピクセルに供給されるデーターが連続して連らなっており、データー受信・分離部６１は、映像データーを受信すると、各データーをピクセル毎に分離する。上記構成により、データー受信・分離部６１は、本発明の配列組替手段を実現する。
【００２６】
差分データー生成部６２，６３は、分離された各データーから、基準となるデーター（以下、基準データーと記載する。）との差分を抽出し、この差分を除算し、差分データーを生成する。本実施形態では、基準データーを第１データーとし、第２及び第３の各データーから差分データーを算出する。また、差分データー生成部６２，６３は、生成した差分データーに対して極性を示す極性データーを付与する。
【００２７】
非線形圧縮部６４，６５は、差分が除算されたデーターのデーター量を圧縮する。非線形圧縮部６４，６５は、入力データーと変換後のデーターとの対応関係を規定した非線形圧縮用テーブルを備えており、このテーブルを用いて入力データーを非線形変換し、更にデーター量を削減する。
【００２８】
図４は、入力データー：Ｄｉｎと圧縮後の出力データー：Ｄｏｕｔとの関係を示す図である。図４に示すように、通常、映像データーは、階調値が極端に変化しない区分と、階調値が極端に変化する区分とで構成され、いわゆるエッジを備えた波形となっている。また、映像データーにより表現される階調値は階調差が大きいものほど人の目にはその変化を感じ取り難く、階調差が小さいものほど人の目にはその変化を感じ取りやすい。そのため、非線形圧縮部６４，６５は、入力データー：Ｄｉｎにおけるその階調差（傾き）が少ない高階調域又は低階調域に対しては、変化後の階調差が少なくなるよう変換を行い、階調差（傾き）が大きい中間階調域に対しては、階調差よりもエッジを保持するよう変換を行っている。また、階調数（量子化Ｂｉｔ幅）を減らすことにより、データ量の圧縮を行うが、エッジも微小な変化も保持することで、画質劣化を目に付きにくく処理することが可能となる。
以上により、差分データー生成部６２，６３及び非線形圧縮部６４，６５は、本発明の圧縮化手段を実現する。
【００２９】
マッピング部６６は、データー配列をＬＶＤＳケーブル７０のバス幅に合わせて再配置する。本実施形態にかかるマッピング部６６は、各データーのビット数が同数となるよう、基準データーを構成するＲ，Ｇ，Ｂの各データーの上位又は下位複数ビットを第２データー及び第３データーに再配分し、ＬＶＤＳケーブル７０のバス幅（Ｄ０Ｅ，Ｄ１Ｅ，Ｄ２Ｅ）に合わせる。上記構成とすることで、受信回路５０では、受信データーのビット数が同数となるため、処理を行い易くすることが可能となる。
【００３０】
データー送信部６７は、組み替えられた映像データーを、クロックに同期させつつＬＶＤＳケーブル７０に伝送する。データー送信部６７は、図示しないクロック供給部から供給されるクロックに同期させて、圧縮後の映像データーを１ピクセル毎にＬＶＤＳケーブル７０に出力する。
【００３１】
＜ディスプレイの構成＞
ディスプレイ８０は、少なくとも、受信回路５０、ドライバー回路８１、パネル部８２、を備えて構成され、ＬＶＤＳケーブル７０を通じて供給された映像データーを受信回路５０で復元し、復元された映像データーをもとにドライバー回路８１がパネル部８２を駆動して映像を表示する。
【００３２】
ドライバー回路８１は、受信回路５０により復元された映像データーをデジタル・アナログ変換してパネル部８２を駆動するための駆動信号を生成し、垂直同期信号ＶＳ、水平同期信号ＨＳ、データーイネーブル信号ＤＥをもとにこの駆動信号をパネル部８２に供給する。
【００３３】
パネル部８２は、縦横に連続して配置される画素により構成され、各ピクセルは、走査方向にＲ，Ｇ，Ｂのカラーフィルムが塗布された画素により構成されている。そのため、Ｒ，Ｇ，Ｂの各画素の階調を変化させることにより、各ピクセルは、加法混色の原理により任意の色を表現する。
【００３４】
受信回路５０は、ＬＶＤＳケーブル７０を通じて供給された映像データーの入力を受け付け、受信した映像データーをドライバー回路８１が受信可能なよう復元する。受信回路５０は、少なくとも、データー受信・分離部５１、逆非線形圧縮部５２，５３、復元部５４，５５、再マッピング部５６、出力部５７と、を備えて構成されている。
【００３５】
データー受信・分離部５１は、ＬＶＤＳケーブル７０を通じて入力されたデーターを、ピクセル毎に再度分離する。このとき、データー受信・分離部５１は、第２及び第３データーに合成された基準データーの複数ビットを抽出し、基準データーに合成することで、同基準データーを復元する。上記構成により、データー受信・分離部５１は、本発明にかかる第１復元手段を実現する。
【００３６】
逆非線形圧縮部５２，５３は、非線形圧縮部６４，６５により変換された映像データーを復元する。逆非線形圧縮部５２，５３は、入力データーを復元するための逆非線形変換用テーブルを記録しており、この逆非線形変換用テーブルを用いて映像データーを元のビット数に復元する。ここで、上記した逆非線形変換用テーブルは、非線形変換用テーブルにより変換されたデーターを可逆的に変換するものである。
【００３７】
復元部５４，５５は、基準データーをもとに、他のデーターを復元する。即ち、復元部５４，５５は、基準データー（第１データー）と、他のデーター（第２及び第３データー）とを比較し、除算された差分値を算出する。そして、算出された差分値をもとに他のデーターのデーター量を復元する。上記構成により、逆非線形圧縮部５２，５３、及び復元部５４，５５は、本発明の第２復元手段を実現する。
【００３８】
再マッピング部５６は、復元された映像データーを、ドライバー回路８１が入力可能なデーター配列に変換する。そして、出力部５７は、配列が変換された映像データーをクロックに同期させてドライバー回路８１に入力する。
【００３９】
＜送信回路における処理について＞
図５は、送信回路６０による処理を説明するためのフローチャートである。以下図５を参照しつつ受信回路５０による処理を説明する。なお、ここでは、メイン基板９０がＲ，Ｇ，Ｂ各８ビットの映像データー（１クロック当たりの転送量は２７ビット）を６ビット対応のＬＶＤＳケーブル７０（バス幅：Ｄ０Ｅ，Ｄ１Ｅ，Ｄ２Ｅ）を用いてディスプレイ８０に送信する場合を例に説明を行う。
【００４０】
入力Ｉ／Ｆ９１を介してメイン基板９０に映像データーが取得されると、信号処理部９２は、映像データーに対して所定の処理を施した後、映像データーを受信回路５０に出力する。そのため、ステップＳ１では、データー受信・分離部６１は、映像データーを受信し、この映像データーに含まれる、３ピクセルに相当するデーター（第１データー、第２データー、第３データー）をそれぞれ分離する。
【００４１】
ステップＳ２では、差分データー生成部６２は、分離された第１データーを基準データーとして、基準データーと第２及び第３データーの差分を抽出する。そして、差分データー生成部６２は、抽出された差分を第２及び第３データーから除算し差分データーを生成する。
【００４２】
ステップＳ３では、差分データー生成部６２，６３は、差分データーを構成するＲデーター、Ｇデーター、Ｂデーターのそれぞれの間に極性データーを付与する。
【００４３】
ステップＳ４では、非線形圧縮部６４は、第２データーに対応する非線形変換用テーブルを参照して差分データーを非線形変換し、下位４ビットを切り捨てる。同様に、非線形圧縮部６５は、第３データーに対応する非線形変換用テーブルを参照して差分データーを非線形変換し、下位４ビットを切り捨てる。そのため、変化後の各データーはそのビット数が９ビット（階調データー：８ビット、極性データー１ビット）から５ビット（階調データー：４ビット、極性データー：１ビット）に圧縮される。
【００４４】
ステップＳ５では、マッピング部６６は、基準データーのＲ，Ｇ，Ｂのデーターの下位２ビットを、第２データー及び第３データーに配分する。具体的には、マッピング部６６は、基準データーのＲ，Ｇ，Ｂのそれぞれ７ビット目（Ｒ（６））を第２データーのＲ，Ｇ，Ｂの極性データーの後に合成し、基準データーのＲ，Ｇ，Ｂのそれぞれ８ビット目（Ｒ（７））を第３データーのＲ，Ｇ，Ｂの極性データーの後に合成する（図２）。
そのため、基準データー（第１データー）のＲ，Ｇ，Ｂの各データー量、及びデーターイネーブル信号ＤＥ、垂直同期信号ＶＳ及び水平同期信号ＨＳを合わせた全体のデーター配列は、ＬＶＤＳケーブル７０の全体のバス幅に適合するよう配列される。同様に第２及び第３データーのデーター配列は、ＬＶＤＳケーブル７０の全体のバス幅に適合するよう配列される。
【００４５】
ステップＳ６では、データー送信部６７は、外部クロックから供給されるクロックに同期させて、１クロック当たり２１ビットで映像データーをＬＶＤＳケーブル７０に出力する。以下、ステップＳ１〜Ｓ６までの処理は、映像データーを構成する全てのデーターに対して実行されるまで繰返される（ステップＳ７）。以上、送信回路６０における処理を説明した。
【００４６】
＜受信回路における処理について＞
図６は、受信回路５０による処理を説明するためのフローチャートである。以下、図６を参照しつつ受信回路５０における処理を説明する。
【００４７】
ＬＶＤＳケーブル７０から映像信号が入力すると、ステップＳ１１では、データー受信・分離部５１は、各データーをそれぞれ分離する。さらに、ステップＳ１２では、データー受信・分離部５１は、第２データー及び第３データーに配分された基準データーのＲ，Ｇ，Ｂ各データーの２ビットを抽出し、基準データーを８ビットに復元する。
【００４８】
ステップＳ１３では、逆非線形圧縮部５２は，第２データーに対応する逆非線形変換用テーブルを参照して、Ｒ，Ｇ，Ｂ各４ビットで構成された第２データーにもとづく差分データーを、Ｒ，Ｇ，Ｂ各８ビットで構成されたデーターに復元する。同様に、逆非線形圧縮部５３は，第３データーに対応する逆非線形変換用テーブルを参照して、Ｒ，Ｇ，Ｂ各４ビットで構成された第３データーにもとづく差分データーを、Ｒ，Ｇ，Ｂ各８ビットで構成されたデーターに復元する。
【００４９】
ステップＳ１４では、復元部５４は、基準データーを参照して、基準データーと第２データー（差分データー）の差分を算出し、この差分を第２データーに乗算してデーター量を復元する。同様に、復元部５５は、基準データーを参照して、基準データーと第３データーの差分を算出し、この差分を第３データーに乗算してデーター量を復元する。
【００５０】
ステップＳ１５では、再マッピング部５６は、復元後の各データーをドライバー回路８１が受信可能な配列に並び換える。そして、ステップＳ１６では、出力部５７は、配列を並び替えた各データーをドライバー回路８１に出力する。以下、ステップＳ１１〜Ｓ１６までの処理は、映像データーを構成する全てのデーターに対して行われるまで繰返される（ステップＳ１７）。
以後、ドライバー回路８１は、供給された各データーをデジタル・アナログ変換し、変換後のデーターを対応する画素に供給することで、各画素を駆動させる。以上、受信回路５０の処理を説明した。
【００５１】
以上説明したように、本実施形態に係る表示装置１００では、基準データー以外のデーターを圧縮することにより、ＬＶＤＳケーブル７０を通過するデーター量を削減することが可能となり、ＬＶＤＳケーブル７０のバス幅を減らしてケーブルに要するコストを削減することができる。また、１画面を構成する映像データーの内、基準データーに対してはデーター量の削減を行わないため、他のデーターの圧縮化による画像の劣化を見え難くすることができ、画質の低減を抑制することができる。
【００５２】
２．第２の実施形態：
非線形圧縮部６４，６５が映像データーの圧縮を行う手法としては、テーブルを参照する以外にも、変換式を用いて圧縮を行うものであってもよい。即ち、非線形圧縮部６４，６５は、入力データー：Ｄｉｎのべき乗の式を使用することにより非線形圧縮を行う構成としてもよい。その一例として、非線形圧縮部６４，６５は、入力データーＤｉｎの１．６のべき乗をもとに入力データーを非線形変換した後、下位ビットを切り捨てる構成としてもよい。
【００５３】
３．その他の実施形態：
ＬＶＤＳケーブル７０により送信する映像データーのビット数は８ビットに限定されない。例えば、１０ビットの映像データーでは、通常５ペアで構成されるＬＶＤＳケーブルを用いて伝送されるが、本発明を使用することで４ペア（ＤＯＥ，Ｄ１Ｅ，Ｄ２Ｅ，Ｄ３Ｅ）で構成されるＬＶＤＳケーブルにより伝送することができる。１０ビットの映像データーをバス幅がＤ０Ｅ，Ｄ１Ｅ，Ｄ２Ｅ,Ｄ３Ｅで構成されたＬＶＤＳケーブルで送信する場合、第２〜第４データー（それぞれ連続して配置されるピクセルに供給されるデーター）の４ビットをそれぞれ圧縮し（階調ビット：６ビット、極性データー：１ビット）、基準データーの３ビットを第２〜第４データーにそれぞれ１ビットずつ分配することで、４ペアのＬＶＤＳケーブルのバス幅に対応することが可能となる。
同様に、通常バス幅が６ペアで構成されるＬＶＤＳケーブルを用いて伝送される１２ビットの映像データは、バス幅が５ペア（Ｄ０Ｅ，Ｄ１Ｅ，Ｄ２Ｅ,Ｄ３Ｅ，Ｄ４Ｅ）で構成されたＬＶＤＳケーブル７０を用いて送信することができる。この場合、第２〜第５データーの５ビットをそれぞれ圧縮し（階調ビット：７ビット、極性データー：１ビット）、基準データーの４ビットを第２〜第５データーにそれぞれ１ビットずつ分配することで、５ペアのＬＶＤＳケーブル７０のバス幅に対応することが可能となる。
【００５４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５５】
５０…受信回路、５１…データー受信・分離部、５２，５３…逆非線形圧縮部、５４，５５…復元部、５６…再マッピング部、５７…出力部、６０…送信回路、６１…データー受信・分離部、６２，６３…差分データー生成部、６４，６５…非線形圧縮部、６６…マッピング部、６７…データー送信部、７０…ＬＶＤＳケーブル、８０…ディスプレイ、８１…ドライバー回路、８２…パネル部、９０…メイン基板、９１…入力Ｉ／Ｆ、９２…信号処理部、１００…表示装置
【図１】
2011186173.tif 000003
【図２】
2011186173.tif 000004
【図３】
2011186173.tif 000005
【図４】
2011186173.tif 000006
【図５】
2011186173.tif 000007
【図６】
2011186173.tif 000008